(57)【要約】      （修正有）【課題】尿跳ねを防止し、折り畳んで収納可能な男性用の小便用椅子を提供する。【解決手段】洋式便器の縁に架設して使用する椅子であって、支持脚１０と座部２０とを備え、支持脚１０と座部２０は、連結具３０によって折り畳み自在に連結してあり、使用時において下向きの略Ｌ字状をなし、座部２０は使用時において、支持脚１０に当接する基端部から洋式便器Ｘの縁に架設される先端部へ向かって下方に傾斜し、座部２０の先端部には洋式便器Ｘの縁に沿う形状のストッパー２１が設けてある。【選択図】図１
0003211620.tif 000002
【実用新案登録請求の範囲】
【請求項１】
洋式便器の縁に架設して使用する椅子であって、
支持脚と座部とを備え、
支持脚と座部は、連結具によって折り畳み自在に連結してあり、使用時において下向きの略Ｌ字状をなし、
座部は使用時において、支持脚に当接する基端部から洋式便器の縁に架設される先端部へ向かって下方に傾斜し、
座部の先端部には洋式便器の縁に沿う形状のストッパーが設けてあることを特徴とする小便用椅子。
【考案の詳細な説明】
【技術分野】
【０００１】
本考案は、洋式便器の縁に架設して使用する男性の小便用椅子に関する。
【背景技術】
【０００２】
男性が洋式便器において立ち小便をする際、尿が便器へ届くまでの距離が長いため、便器の周りに尿が飛散してしまい、不衛生であるという問題があった。
また、別の問題として、車椅子を常用する男性は、車椅子から便座へと移動する際に、車椅子から立ち上がり、体の向きを１８０度変えて着座しなければならず、小便の度に労力を要していた。
【考案の概要】
【考案が解決しようとする課題】
【０００３】
このような問題を解決するため、一般的な椅子を便器に近接して設置することにより、体の向きを便器へ向けたまま座って小便をすることが考えられたが、一般的な椅子では、簡易なものであっても、狭い便所の中では場所を取ってしまい、却って不便であった。
【０００４】
本考案は、上記実情を鑑みたものであり、尿跳ねを防止し、折り畳んで収納可能な男性用の小便用椅子を提供することを目的とする。
【課題を解決するための手段】
【０００５】
本考案は、洋式便器の縁に架設して使用する椅子であって、支持脚と座部とを備える。支持脚と座部は、連結具によって折り畳み自在に連結してあり、使用時において下向きの略Ｌ字状をなす。座部は使用時において、支持脚に当接する基端部から洋式便器の縁に架設される先端部へ向かって下方に傾斜する。そして、座部の先端部には洋式便器の縁に沿う形状のストッパーが設けてあることを特徴とする。
【考案の効果】
【０００６】
略Ｌ字状をなす支持脚と座部とを備え、洋式便器の縁に架設して使用することによって、男性が便器側へ向けて座って小便をすることを可能とし、尿が便器へ届くまでの距離が短くなり尿の飛散を防ぐことができるため、便所内の掃除に係る労力が軽減される。また、体の向きを変えずに座って小便ができるため、車椅子常用者にとって負担が少ない。
そして、支持脚と座部は、連結具によって折り畳み自在に連結してあるため、使用しない時には折り畳んで邪魔にならない場所へ収納することができる。
座部は使用時において、支持脚に当接する基端部から洋式便器の縁に架設される先端部へ向かって下方に傾斜することによって、強度に優れる。
さらに、座部の先端部には洋式便器の縁に沿う形状のストッパーが設けてあるため、座部を洋式便器の縁へ架設した際に椅子が安定し、誤って便器の縁から外れるのを防ぐことができるため、安全性に優れる。
【図面の簡単な説明】
【０００７】
【図１】小便用椅子の使用時の斜視図である。
【図２】小便用椅子の使用時の側面図である。
【図３】小便用椅子の底面図である。
【図４】小便用椅子の使用状態を説明するための側面図である。
【考案を実施するための形態】
【０００８】
以下、本考案の実施の形態を図面に基づいて説明する。本考案は、図１及び図２に示すように、洋式便器Ｘの縁に架設して使用する男性の小便用椅子であって、支持脚１０と座部２０を備えるものである。
【０００９】
支持脚１０は、人が座ることが可能な程の十分な強度があれば材質や形状は特に限定されないが、例えば平板状の木材を用いることができる。高さ寸法は洋式便器Ｘの高さよりも僅かに長いものであればよいが、洋式便器Ｘに合わせて高さ調節可能な構成としてもよい。
【００１０】
座部２０も、支持脚１０と同様に人が座ることが可能な程の十分な強度があれば材質や形状は特に限定されないが、例えば平板状の木材を用いることができる。座部２０は、使用時に洋式便器Ｘへ当接する先端部２０ａと、支持脚１０と当接する基端部２０ｂを備える。
【００１１】
支持脚１０と座部２０は、連結具３０によって連結してある。連結具３０は、支持脚１０と座部２０にそれぞれ取付けられＬ字状に配置される支持部３１，３１と、支持部３１，３１に斜めに掛け渡される筋交部３２とからなり、支持部３１，３１と筋交部３２は折り畳み可能な構成としてある。
【００１２】
支持脚１０と座部２０は、座部２０の先端部２０ａを洋式便器Ｘの縁に架設することにより、使用時において下向きの略Ｌ字状をなす。座部２０は使用時において、図２に示すように、基端部２０ｂから洋式便器Ｘの縁に架設される先端部２０ａへ向かって下方に傾斜している。
【００１３】
座部２０の先端部２０ａには、下面にストッパー２１が設けてある。ストッパー２１の材質は特に限定されないが、例えばゴム製のものを用いることができる。図２及び図３（ａ）に示すように、ストッパー２１は洋式便器Ｘの縁の外周側の形状に沿う凹部２１ａを有する。洋式便器Ｘに座部２０の先端部２０ａを架設した際に、凹部２１ａが洋式便器Ｘの外周側の側壁に当接し、小便用椅子の位置ずれや脱落を防止する。
【００１４】
座部２０の他の実施形態として、図３（ｂ）に示すように、先端部２０ａに洋式便器Ｘの外周側に沿うストッパー２１と、ストッパー２１より先端側に間隔をあけて、ストッパー２２を取付けてもよい。ストッパー２２は、洋式便器Ｘの内周側の形状に沿う凸部２２ａを有する。このような構成とすることで、外周側のストッパー２１と内周側のストッパー２２とによって、洋式便器Ｘの縁の両側を挟み、小便用椅子をより安定させて設置することができる。
【００１５】
次に本考案の使用方法について説明する。
本考案の小便用椅子は、使用しない時には支持脚１０と座部２０を重ね合わせるように折り畳み、邪魔にならない場所へ収納しておく。
図４に示すように、使用する際にはまず、洋式便器Ｘの便座カバーと便座Ａを上げておく。そして、支持脚１０と座部２０を下向きの略Ｌ字形状に開き、支持脚１０を便所の床に立てるとともに、座部２０の先端部２０ａを洋式便器Ｘの縁へ架設する。使用者は、立ち小便をする向きと同じ向き、言い換えれば、便器側へ体を向けたまま、座部２０へ着座し用を足す。
【００１６】
このような構成を有する小便用椅子であれば、座部２０を洋式便器Ｘの縁に架設することによって、男性が便器側へ向けて座って小便をすることを可能とし、尿が便器へ届くまでの距離が短くなり尿の飛散を防ぐことができるため、便所内の掃除に係る労力が軽減される。また、体の向きを変えずに座って小便ができるため、車椅子常用者にとって負担が掛からない。
そして、支持脚１０と座部２０は、連結具３０によって折り畳み自在に連結してあるため、使用しない時には折り畳んで邪魔にならない場所へ収納することができる。
座部２０は使用時において、支持脚１０に当接する基端部２０ｂから洋式便器Ｘの縁に架設される先端部２０ａへ向かって下方に傾斜するため、強度に優れる。
さらに、座部２０の先端部２０ａには洋式便器Ｘの縁の形状に沿うストッパー２１，２２が設けてあるため、小便用椅子が誤って洋式便器Ｘの縁から外れるのを防ぎ、安全性に優れる。
【００１７】
本考案は上記実施形態に限定されるものではなく、その趣旨を逸脱しない範囲において適宜変更可能である。
【符号の説明】
【００１８】
１０      支持脚
２０      座部
２０ａ    先端部
２０ｂ    基端部
２１      ストッパー（外周側）
２１ａ    凹部
２２      ストッパー（内周側）
２２ａ    凸部
３０      連結具
３１      固定部
３２      筋交部
Ａ      便座
Ｘ      洋式便器
【図１】
0003211620.tif 000003
【図２】
0003211620.tif 000004
【図３】
0003211620.tif 000005
【図４】
0003211620.tif 000006